(57)【要約】  複数のスペクトル測定バンドを有する分光光度装置（１００）は、単一の望遠鏡（１０）および単一の分光光度計（２０）を備える。複数のスペクトルバンドは、瞳分離プリズム（３１〜３４）を望遠鏡の入射瞳（ＰＥ）に配置し、スペクトルバンド選択フィルタを使用することによって得られる。このような装置は、重量がより小さく、寸法がより小さく、価格がより低い。特に、分光光度装置は、特に、地球の表面上で生成される炭素化合物の流れを特徴付けるミッションのために、衛星に統合されてもよい。
2019530876.tif 000002
【特許請求の範囲】
【請求項１】
複数のスペクトル測定バンドを有する分光光度装置（１００）であって、
入射瞳（ＰＥ）と、出力焦点面（ＰＦ）とを有する望遠鏡（１０）であって、前記入射瞳を通って前記望遠鏡に入射する放射を前記出力焦点面に集束させるように適合された前記望遠鏡（１０）と、
前記望遠鏡（１０）の前記出力焦点面（ＰＦ）上に重ね合わされる入射口を有する分光光度計（２０）であって、スペクトル拡散部品（２４）と、前記分光光度計の前記入射口と光学的に共役であるアレイ検出器（２６）と、を含み、前記検出器は、前記スペクトル拡散部品によって生成されるスペクトル拡散の方向に平行な第１の検出方向（Ｄ１）に延在し、第１の検出方向に垂直な第２の検出方向（Ｄ２）にも延在する光電面を有する前記分光光度計（２０）と、を備え、
前記分光光度装置（１００）は、さらに、
前記望遠鏡（１０）の前記入射瞳（ＰＥ）に配置され、前記スペクトル測定バンドに対しそれぞれ専用の独立したサブ瞳を形成する複数の開口（Ｏ１〜Ｏ４）を有する瞳マスク（１７）と、
瞳分離プリズム（３１〜３４）であって、前記瞳分離プリズムすべてにおいて共通のプリズム偏向方向（Ｘ）に対応する前記サブ瞳を通る放射の部分を各瞳分離プリズムが偏向させるように前記開口（Ｏ１〜Ｏ４）に対して１対１で配置され、他のすべての瞳分離プリズムのプリズム偏向振幅と異なるプリズム偏向振幅を有し、前記第２の検出方向（Ｄ２）が、前記望遠鏡および前記分光光度計を通る前記プリズム偏向方向に光学的に対応するように、前記分光光度計（２０）が前記瞳分離プリズムに対して配向される、前記瞳分離プリズム（３１〜３４）と、
可能な限り湾曲した複数のスリット（４１〜４４）であって、前記スリットの長手方向が前記望遠鏡（１０）を通る前記プリズム変更方向（Ｘ）に光学的に対応するように前記分光光度計（２０）の前記入射口に配置され、それぞれが、前記瞳マスク（１７）の前記開口（Ｏ１〜Ｏ４）の１つと、前記瞳分離プリズム（３１〜３４）の１つとを通って、前記望遠鏡を通る、前記望遠鏡の指向方向（ＤＰ）から生ずる前記放射のそれぞれの部分を受光するように、前記スリットが互いにオフセットされる、前記スリット（４１〜４４）と、
それぞれが前記スペクトル測定バンドの１つを決定するフィルタの第１のセット（２７）であって、前記第１のセットのフィルタは、前記検出器（２６）の前記光電面の前に配置され、前記瞳マスク（１７）の前記開口（Ｏ１〜Ｏ４）の１つを通り前記望遠鏡（１０）に入射する前記放射の部分を用いて前記分光光度計（２０）により形成される、前記スリット（４１〜４４）の１つのみの像上に前記第２の検出方向に沿って重ね合わされる検出開口内で、前記第１のセットのフィルタのそれぞれが有効であり、それぞれのフィルタの前記検出開口は第１の検出方向（Ｄ１）に延在する、前記フィルタの第１のセット（２７）と、を備える、分光光度装置。
【請求項２】
前記スペクトル測定バンドへの１対１の対応をも有する少なくとも１つのフィルタの第２のセットであって、同一のスペクトルバンドに対応する前記第１のセットのフィルタおよび各前記第２のセットのフィルタが、前記瞳マスク（１７）の前記開口（Ｏ１〜Ｏ４）の１つのみを通り前記望遠鏡（１０）に入射する前記放射の同一の部分により横断されるように、前記瞳分離プリズム（３１〜３４）に、または、前記分光光度計の前記入射口と前記スペクトル拡散部品（２４）との間の前記分光光度計（２０）の内側に配置される、前記フィルタの第２のセットをさらに備える請求項１に記載の装置。
【請求項３】
前記望遠鏡（１０）の前記出力焦点面（ＰＦ）または望遠鏡の中間像面（ＰＩ）に近接して配置される少なくとも１つのフィールドマスクをさらに備え、各フィールドマスクは、前記スリット（４１〜４４）に対応するか、または前記スリットに重ね合わせられた像を有する開口を有し、前記像は、前記瞳マスク（１７）の前記開口（Ｏ１〜Ｏ４）を通り前記望遠鏡に入射する前記放射を用いて、前記フィールドマスクと前記望遠鏡の前記出力焦点面との間に構成される前記望遠鏡の一部によって形成される、請求項１または２に記載の装置。
【請求項４】
前記スリット（４１〜４４）に対して１対１で配置され、前記スリットから到来するすべての放射部分のそれぞれが前記瞳マスク（１７）の前記開口（Ｏ１〜Ｏ４）の１つを通って前記望遠鏡に入射した後に前記放射部分を、前記スペクトル拡散部品上で互いに重ね合わせるように適合された、瞳位置合わせプリズムと呼ばれる追加のプリズムセット（４１〜４４）をさらに備える、請求項１〜３のいずれか１項に記載の装置。
【請求項５】
前記スペクトル拡散部品（２４）は回折格子であり、前記分光光度計は、前記瞳マスク（１７）の前記開口（Ｏ１〜Ｏ４）を通って前記望遠鏡に入射した前記放射が前記回折格子によって反射されるように配置される、請求項１〜４のいずれか１項に記載の装置。
【請求項６】
前記望遠鏡内の前記放射の伝播方向に対して前記望遠鏡（１０）の前記入射瞳（ＰＥ）の上流に配置された偏光スクランブラ（１５）をさらに備え、前記偏光スクランブラは、前記瞳マスク（１７）の前記開口（Ｏ１〜Ｏ４）の１つを通る前記放射の各部分において異なる偏光を混合するのに適している、請求項１〜５のいずれか１項に記載の装置。
【請求項７】
瞳マスク（１７）内の少なくともＮ個の開口（Ｏ１〜Ｏ４）、Ｎ個の瞳分離プリズム（３１〜３４）、Ｎ個のスリット（４１〜４４）およびＮ個のフィルタを備え、Ｎ個のスペクトルバンドにおける同時分光光度測定を可能にし、Ｎは２以上１２以下の整数、好ましくは４以上８以下の整数である、請求項１から６のいずれか１項に記載の装置。
【請求項８】
前記瞳マスク（１７）は、追加の開口（Ｏ５）を有し、前記装置（１００）は、結像システム（６０）と、前記望遠鏡（１０）の射出瞳（ＰＳ）内に配置されたビーム分割部品（１９）とをさらに含み、前記ビーム分割部品は、前記瞳マスク（１７）の前記開口（Ｏ１〜Ｏ４）を通って前記望遠鏡に入射した放射の部分が前記スリット（４１〜４４）の方向に伝送されると同時に、前記瞳マスクの前記追加の開口を通って前記望遠鏡に入射した放射の追加の部分が前記結像システムに伝送されるように適合される、請求項１から７のいずれか１項に記載の装置。
【請求項９】
地球の大気中の測定領域内に存在する化学成分を測定する方法であって、
請求項１から８のいずれか１項に記載の複数のスペクトル測定バンドを有する分光光度装置（１００）を、衛星（Ｓ）に搭載するステップ１と、
前記衛星（Ｓ）を地球（Ｔ）の周りの軌道に配置し、前記衛星が前記測定領域上を飛行するようにするステップ２と、
前記望遠鏡（１０）の前記指向方向（ＤＰ）を前記測定領域に向けるステップ３と、
前記望遠鏡（１０）の前記指向方向（ＤＰ）を前記測定領域に向けた状態を維持しながら、前記分光光度計（２０）の前記検出器（２６）を作動させ、前記検出器の画素からの読み出し信号を捕捉し、前記読み出し信号は、前記分光光度計（２０）を通り、前記スリット（４１〜４４）と１対１で光学的に関連付けられた前記検出器の光電面内の幾何学的バンド（Ｂ１〜Ｂ４）内で個々に、前記スペクトル測定バンドの１つにおける前記測定領域から生じる前記放射のスペクトル強度分布を提供するステップ４と、を含む方法。
【請求項１０】
前記衛星（Ｓ）は、前記望遠鏡（１０）の前記指向方向（ＤＰ）が、ステップ４の間、前記衛星の天底方向に重ね合わされるように配向される、請求項９に記載の方法。
【請求項１１】
前記衛星（Ｓ）は、前記プリズム偏向方向（Ｘ）が、ステップ４の間、前記出力焦点面（ＰＦ）において前記望遠鏡（１０）によって形成される前記測定領域の像の進行方向に垂直であるように配向される、請求項９または１０に記載の方法。
【請求項１２】
装置（１００）の前記スペクトル測定バンドの少なくとも１つが、二酸化炭素またはエーロゾル化合物などの少なくとも１つのガス状炭素化合物の吸収線を含む、請求項９〜１１のいずれか１項に記載の方法。  
【発明の詳細な説明】
【技術分野】
【０００１】
本発明は、複数のスペクトル測定バンドを有する分光光度装置、および地球の大気中に存在する化学成分を測定する方法に関する。
【背景技術】
【０００２】
地球の気候システムの進化をよりよく理解するために、宇宙ミッションは、地球の大気、海洋、および大陸の間で生じる炭素化合物の流れを特徴付けるように計画される。このために、分光光度測定は、地球の周りの軌道にある人工衛星から、ガス状炭素化合物、特に二酸化炭素（ＣＯ２）またはエーロゾル化合物などの温室効果化合物の吸収線を含むスペクトルバンドで行われなければならない。しかし、ミッションのコストを低減しながら最大量の情報を得るためには、使用される分光光度装置は、分光光度測定を同時に行うことができるスペクトルバンドの数と、分光光度装置の重量、サイズ、および価格との間の最適な妥協点を提供しなければならない。
【０００３】
２０１４年に発売されたＯＣＯ２計器では、３つの高分解能分光計を用いて二酸化炭素（ＣＯ２）の３つの吸光バンドを分析し、それらを共用望遠鏡によって供給する。
【０００４】
ＭｉｃｒｏＣａｒｂ機器の場合、ＣＮＥＳ（ＩＣＳＯ  ２０１４「Ｉｍｐｒｏｖｅｄ  Ｍｉｃｒｏｃａｒｂ  ｃｏｎｃｅｐｔ」Ｐａｓｃａｌ  Ｖｅｒｏｎｉｑｕｅ  ｅｔ  ａｌ．）は、重要な大気成分を分析するために、回折エシェル格子分光計を高次回折で使用して複数の狭いスペクトルバンドをカバーすることを提案した。異なる次数の回折が焦点面の画像に重ね合わされるので、それらを分離するためのシステムを実施することが必要となる。より簡単でよりコンパクトな装置を得るために、また多数のスペクトルバンドをカバーするために、ＣＮＥＳは、光路に挿入された交差格子を使用することによってスペクトルバンドを分離することを提案した。この格子は、主エシェル格子によって規定されるスペクトル分散の方向に対して垂直な方向に波長を拡散させることを可能にする。次いで、主格子の分散の各次数は、検出器のアレイの列上に投影され、次の次数は、垂直方向にシフトされる。したがって、２つのアレイ検出器上のすべてのスペクトルバンドを２つの垂直方向に捕捉することが可能である。
【発明の概要】
【発明が解決しようとする課題】
【０００５】
このコンセプトは、複数のスペクトルバンドを観察することを可能にし、さらに、バンド外の波長を自然に排除する。しかし、ミッションの対象となるスペクトルバンドが隣接していない場合、スペクトル分散の全範囲は、検出器アレイの利用可能な表面を超えることがある。この効果を少なくとも部分的に補償するために、ＣＮＥＳはまた、検出器アレイ表面上へより遠い波長を「シフトバック」するように、複数の次数のための交差格子を使用することを提案した。しかし、回折次数の重ね合わせが再び起こり、同様にゴーストの危険性も生じ、これらは交差格子の初期の利点を減少させる。
【課題を解決するための手段】
【０００６】
測定の精度を維持または改善しながら、このタイプの機器のコンパクトさをさらに改善するために、本発明の第１の態様は、複数のスペクトル測定バンドを有する分光光度装置を提供する。該分光光度装置は、以下を備える。
【０００７】
入射瞳と、出力焦点面とを有する望遠鏡であって、入射瞳を通って望遠鏡に入射する放射を出力焦点面に集束させるように適合された望遠鏡。
【０００８】
望遠鏡の出力焦点面上に重ね合わされる入射口を有する分光光度計であって、スペクトル拡散部品と、分光光度計の入射口と光学的に共役であるアレイ検出器（２６）と、を含む分光光度計。
【０００９】
検出器は、スペクトル拡散部品によって生成されるスペクトル拡散の方向に平行な第１の検出方向に延在し、第１の検出方向に垂直な第２の検出方向にも延在する光電面を有する。
【００１０】
本発明に係る分光光度装置は、さらに、以下を備える。
【００１１】
望遠鏡の入射瞳に配置され、スペクトル測定バンドに対しそれぞれ専用の独立したサブ瞳を形成する複数の開口を有する瞳マスク。
【００１２】
瞳分離プリズムであって、瞳分離プリズムすべてにおいて共通のプリズム偏向方向に対応するサブ瞳を通る放射の部分を各瞳分離プリズムが偏向させるように開口に対して１対１で配置され、他のすべての瞳分離プリズムのプリズム偏向振幅と異なるプリズム偏向振幅を有し、第２の検出方向が、望遠鏡および分光光度計を通るプリズム偏向方向に光学的に対応するように、分光光度計が瞳分離プリズムに対して配向される、瞳分離プリズム。
【００１３】
可能な限り湾曲した複数のスリットであって、スリットの長手方向が望遠鏡を通るプリズム偏向方向に光学的に対応するように分光光度計の入射口に配置され、それぞれが、瞳マスクの開口の１つと、瞳分離プリズムの１つとを通って、望遠鏡を通る、望遠鏡の指向方向から生ずる前記放射のそれぞれの部分を受光するように、スリットが互いにオフセットされる、スリット。
【００１４】
それぞれがスペクトル測定バンドの１つを決定するフィルタの第１のセットであって、第１のセットのフィルタは、検出器の光電面の前に配置され、瞳マスクの開口の１つを通り望遠鏡に入射する放射の部分を用いて分光光度計により形成される、スリットの１つのみの像上に第２の検出方向に沿って重ね合わされる検出開口内で、第１のセットのフィルタのそれぞれが有効であり、それぞれのフィルタの検出開口は第１の検出方向に延在する、フィルタの第１のセット。
【００１５】
これにより、本発明に係る分光光度装置では、各スペクトル測定バンドは、望遠鏡の入射瞳に配置された瞳マスクの開口の１つ、瞳分離プリズムおよび瞳マスクのこの開口に関連付けられたスリット、ならびにアレイ検出器の前に配置されたフィルタの１つによって決定される。したがって、分光光度装置は、単一の望遠鏡、単一の分光光度計、および単一の検出器を備え、これらは、すべてのスペクトル測定バンドにおいて共有される。このため、分光光度装置の重量、寸法及び価格は、分光光度測定を同時に行うことができる複数のスペクトルバンドに対して低減される。
【００１６】
瞳孔分離プリズムの下流では、全てが、あたかも各バンドが異なる観察方向に関連しているかのように生じる。異なるバンドの位置合わせは、瞳分離プリズムで行われる。
【００１７】
したがって、アレイ検出器の光電面の別々の部分は、アレイ検出器の光電面のそれら部分の前に配置されるフィルタによって画定されるスペクトルバンドに１対１で割り当てられる。これにより、フィルタリングが大幅に簡略化され、スペクトル拡散部品の上流に配置された特定のフィルタを補うことができるので、フィルタリングがより効率的になる。
【００１８】
したがって、本発明の装置は、検出器のアレイ上にスペクトルバンドを配置する際の選択の自由を可能にし、より多くのバンドに適応することを容易にし、良好なバンド間除去を可能にし、迷光除去における優れた性能を可能にする。瞳の寸法は、特に回折の均質性の目的のために、各バンドに対して独立して適合されてもよい。最後に、望遠鏡の像面湾曲が分光光度計の像面湾曲を補償することが可能である。
【００１９】
したがって、分光光度測定の結果において、別々のスペクトルバンドに属する放射部分の間で混合または蓄積は発生しない。
【００２０】
ここで述べる本発明の装置の改良は、任意であり、互いに独立して、または組み合わせて実施することができる。
【００２１】
スペクトルバンドの１つと、異なるスペクトルバンド専用の検出器の部分との間で、例えば、装置内の放射の漂遊反射により、依然として生じる可能性がある放射の伝達をさらに低減するために、装置は、スペクトル測定バンドに１対１の対応をも有する少なくとも１つのフィルタの第２のセットをさらに備えることができる。この第２のセットのフィルタは、瞳孔分離プリズムに、または分光光度計の入射口とスペクトル拡散部品との間の分光光度計の内部に配置されてもよい。そのうえ、同一のスペクトルバンドに対応する第１のセットのフィルタと、各第２のセットのフィルタとが、瞳マスクの開口の１つのみを通り望遠鏡に入射する放射の同一の部分によって横断される。
【００２２】
再び、スペクトルバンドの１つと、異なるスペクトルバンド専用の検出器の部分との間で生じる可能性がある放射の伝達を低減する目的で、装置は、望遠鏡の出力焦点面または望遠鏡の中間像面に近接して配置される少なくとも１つのフィールドマスクを備えてもよい。各フィールドマスクは、スリットに対応するか、またはスリットに重ね合わされた像を有する開口を有し、これらの像は、瞳マスクの開口を通り望遠鏡に入射する放射を用いて、フィールドマスクと望遠鏡の出力焦点面との間に構成される望遠鏡の一部によって形成される。
【００２３】
スペクトル拡散部品のサイズを低減するために、装置は、スリットに対して配置される、瞳位置合わせプリズムと呼ばれる追加のプリズムセットをさらに備えてもよい。そのうえ、これらの瞳位置合わせプリズムは、スリットから到来するすべての放射部分のそれぞれが瞳マスクの開口の１つを通って望遠鏡に入射した後に、該放射部分を、スペクトル拡散部品上で互いに重ね合わせるように適合される。
【００２４】
本発明の好ましい実施形態では、スペクトル拡散成分は回折格子であってもよい。そのうえ、分光光度計は、瞳マスクの開口を通って望遠鏡に入射した放射が回折格子によって反射されるように配置されてもよい。さらにより好ましくは、特に分光光度計により占有される空間をさらに低減するために、回折格子は、近リトロー（ｎｅａｒ−Ｌｉｔｔｒｏｗ）と呼ばれる構成を有してもよい。このような構成では、回折格子に入射する放射と、該格子から出射する放射とは、これらの光路の少なくとも一部に近い光路を有する。特に、回折格子に入射する放射と、同じ回折格子から出射する放射とは、入射する放射に対するコリメート機能および出射する放射に対する集束機能を有する、分光光度計の同じミラーによって反射される。
【００２５】
有利なことには、装置は、望遠鏡内の放射の伝播方向に対して望遠鏡の入射瞳の上流に配置された偏光スクランブラをさらに備えることができる。このような偏光スクランブラは、瞳マスクの開口の１つを通る放射の各部分において異なる偏光を混合する。
【００２６】
一般に、本発明に係る装置は、瞳マスク内の少なくともＮ個の開口、Ｎ個の瞳分離プリズム、Ｎ個のスリット、および各フィルタのセット内のＮ個のフィルタ、ならびに必要に応じてＮ個の瞳位置合わせプリズムを備え、Ｎ個のスペクトルバンドにおいて同時に分光光度測定を可能にすることができてもよく、Ｎは、２以上１２以下の整数、好ましくは４以上８以下の整数である。
【００２７】
望遠鏡は、３ミラー型であってもよい。
【００２８】
本発明の別の任意の改良によれば、瞳マスクは、追加の開口を有し、装置は、結像システムと、望遠鏡の射出瞳に配置されるビーム分割部品とをさらに含むことができる。ビーム分割部品は、瞳マスクの開口を通って望遠鏡に入射した放射の部分がスリットの方向に伝送されると同時に、瞳マスクの追加の開口を通って望遠鏡に入射した放射の追加の部分が結像システムに伝送される（この点でこのように呼ばれる）ように適合される。したがって、装置の望遠鏡は、分光光度計および任意の結像経路により共有され得る。
【００２９】
さらに、本発明の第２の態様は、地球の大気中の測定領域内に存在する化学成分を測定するための方法を提供し、前記方法は、以下のステップを含む。
【００３０】
本発明の第１の態様に係る複数のスペクトル測定バンドを有する分光光度装置を衛星に搭載するステップ１と、
衛星を地球の周りの軌道に配置し、衛星が測定領域上を飛行するようにするステップ２と、
望遠鏡の指向方向を測定領域に向けるステップ３と、
望遠鏡の指向方向を測定領域に向けた状態を維持しながら、分光光度計の検出器を作動させ、検出器の画素からの読み出し信号を捕捉し、これらの読み出し信号は、分光光度計を通り、スリットと１対１で光学的に関連付けられた検出器の光電面内の幾何学的バンド内で個々に、スペクトル測定バンドの１つにおける測定領域から生じる放射のスペクトル強度分布を提供するステップ４。
【００３１】
好ましくは、衛星は、望遠鏡の指向方向が、ステップ４の間に衛星の天底方向に重ね合わされるように配向されてもよい。したがって、測定は、衛星と陸地または海洋表面との間に位置する大気の垂直柱に正確に関係することができる。
【００３２】
再び好ましくは、衛星は、プリズム偏向方向が、ステップ４の間、出力焦点面において望遠鏡によって形成される測定領域の像の進行方向に垂直であるように配向されてもよい。このような向きは、進行による画像ぼけの影響を制限しながら、天底に向けられた視線の場合に、経路に垂直に隣接する複数の測定点を捕捉することを可能にする。
【００３３】
最後に、特に、地球表面上で発生している炭素化合物の流れを特徴付けることを意図した宇宙ミッションの場合、装置のスペクトル測定バンドの少なくとも１つは、二酸化炭素またはエーロゾル化合物などの少なくとも１つのガス状炭素化合物の吸収線を含んでもよい。
【００３４】
本発明の他の特徴および利点は、添付の図面を参照して、いくつかの非限定的かつ例示的な実施形態の以下の説明から明らかになるであろう。
【図面の簡単な説明】
【００３５】
【図１】図１は、本発明に係る、複数のスペクトル測定バンドを提供する分光光度装置の概略斜視図である。
【図２】図２は、本発明に係る分光光度装置に使用することができ、瞳分離プリズムに関連する瞳マスクの可能な構成を示す。
【図３】図３は、本発明に係る分光光度計のための望遠鏡の出力焦点面における図である。
【図４】図４は、本発明に係る分光光度装置に使用されるアレイ検出器の光電面の使用を示す。
【図５】図５は、図３に対応する斜視図であり、瞳位置合わせプリズムの実施態様を示す。
【図６】図６は、衛星に搭載された、本発明に係る分光光度装置の使用を示す。
【発明を実施するための形態】
【００３６】
明確さのために、これらの図に表される要素の寸法は、実際の寸法または実際の寸法比に対応しない。さらに、異なる図面における同一の参照番号は、同一の要素または同一の機能を有する要素を示す。
【００３７】
図１によれば、本発明に係る分光光度装置１００は、望遠鏡１０と分光光度計２０とを備えている。Ａで示される有向実線は、放射の伝播方向に従うように配向された装置１００の光軸を示す。
【００３８】
望遠鏡１０は、当業者に知られているモデルの１つ、例えば、図示のような３ミラーモデルであってもよい。特に、それは、Ｋｏｒｓｃｈ望遠鏡であってもよい。文字Ｅは望遠鏡１０に入射する放射の入射口を示し、ＤＰは望遠鏡１０の指向方向を示し、ＰＦは望遠鏡１０の出力焦点面を示し、他の参照符号は以下の意味を有する。
【００３９】
１１，  １２、１３  それぞれ、望遠鏡１０の一次、二次、三次ミラー
１５  任意の偏光スクランブラ
１６  任意の偏向ミラー
ＰＥ  望遠鏡１０の入射瞳
ＰＳ  望遠鏡１０の射出瞳
１７  入射瞳ＰＥに配置された瞳マスク
１８  任意のフィールドマスク
１９  射出瞳ＰＳに配置された任意のビーム分割部品
周知の方法で、望遠鏡１０は、指向方向ＤＰにおいて、入射口Ｅから非常に離れて位置するシーンの中間像を形成してもよい。そして、この中間像は、望遠鏡１０の中間焦点面ＰＩにおいて、図示されたタイプの望遠鏡における一次ミラー１１と二次ミラー１２との間に配置される。
【００４０】
偏光スクランブラ１５および偏向ミラー１６は任意であり、望遠鏡１０の入射口Ｅに配置される。これらの２つの光学部品のうちの１つのみを装置１００で使用することが可能である。それらの実施態様は、当業者にも知られているので、それらを再度説明する必要はない。
【００４１】
示されている本発明の例示的な実施形態では、入射瞳ＰＥは、入射口Ｅを通って望遠鏡１０に入射する放射の伝播方向において一次ミラー１１の上流に位置している。射出瞳ＰＳは、３つのミラー１１、１２、および１３の連続の後の入射瞳ＰＥの像である。
【００４２】
望遠鏡１０における光学的共役の原理により、遠隔源から指向方向ＤＰに発生し、入射口Ｅを通って望遠鏡に入射する放射ビームは、出力焦点面ＰＦに集束される。
【００４３】
瞳マスク１７は、入射瞳ＰＥ内に配置され、入射瞳ＰＥ内に分布するいくつかの独立した開口を有する。入射瞳ＰＥにおけるこれらの開口の位置および寸法は、装置１００の異なる実施形態間で、特に、放射の放射測定基準、スペクトル基準、およびサイズ制約、並びにビームが妨害されずに望遠鏡１０を通過することを可能にすることに基づいて、変化し得る。図２において、Ｏ１〜Ｏ４は、本明細書の説明のために使用される、４つの分光光度測定バンドを有する装置１００のための、瞳マスク１７の４つの開口を示す。以下に説明するように、瞳マスク１７の開口Ｏ１〜Ｏ４は、分光光度測定のスペクトルバンドに１対１で専用化される。図２に示す追加の開口Ｏ５は、任意であり、瞳分離プリズムを有しておらず、分光光度測定のスペクトルバンドに対応しておらず、その有用性については後述する。したがって、瞳マスク１７の開口の各々は、入射瞳ＰＥ内に独立したサブ瞳を形成する。
【００４４】
瞳分離プリズムは、瞳マスク１７の開口Ｏ１〜Ｏ４の各々に対して１対１で配置され、４つのスペクトル測定バンドの考察される実施例について、図２の参照番号３１〜３４によって示される。瞳分離プリズム３１〜３４の各々は、瞳マスクの対応する開口を完全に覆い、その結果、この開口を通過する放射ビームは、プリズムの頂角および向きに従ってプリズムによって完全に偏向される。瞳分離プリズム３１〜３４からの偏向された出射ビームは、図１および図２において破線で表され、偏向されたビームは、参照番号Ｆ１〜Ｆ４で示されている。瞳分離プリズム３１〜３４によって生成される偏向は、図２にＸで示される少なくとも１つの方向で互いに異なる。そして、瞳マスク１７の開口Ｏ１〜Ｏ４の１つを通過する全ての放射ビームＦ１〜Ｆ４は、出力焦点面ＰＦの別々の位置の各々に収束し、これらの位置は、瞳分離プリズム３１〜３４によって生成されるビーム偏向によって決定される。出力焦点面ＰＦにおけるこれらの収束位置は、ミラー１１、１２、および１３上の反射による方向Ｘに対応する方向ｘに平行にオフセットされる。この理由から、方向Ｘおよびｘは、共にプリズム偏向方向と呼ぶことができる。
【００４５】
装置１００の改良によれば、第１のフィールドマスク１８は、中間焦点面Ｐｌ内に配置されてもよい。この第１のフィールドマスク１８は、ミラー１２および１３による光学的共役によって、出力焦点面ＰＦに配置され、以下に説明されるスリットに対応する開口を有する。このような第１のフィールドマスク１８は、必要に応じて追加の開口Ｏ５を含む、瞳マスク１７の開口Ｏ１〜Ｏ４から到来する放射ビームの有用な部分の遮断を回避する周辺マージンを有し、指向方向ＤＰの周りの装置１００の画角を制限する。
【００４６】
射出瞳ＰＳ内に配置される任意の部品１９は、放射ビームＦ１〜Ｆ４を屈折させるための単純なミラーであってもよい。しかし、瞳マスク１７が追加の開口Ｏ５を有する場合、部品１９は、図２においてＦ５で示されるこの追加の開口Ｏ５から到来する放射ビームを、開口Ｏ１〜Ｏ４から到来する他のビームＦ１〜Ｆ４とは別に、補助結像システム６０に向かって方向付けるように適合されてもよい。このため、この説明の一般的な部分では、部品１９はビーム分割部品と呼称される。これもまた任意である結像システム６０は、指向方向ＤＰにあるシーンの、望遠鏡１０によって形成された像を取り込むことができる。例えば、ビーム分割部品１９は、ミラー１１、１２、および１３によって形成される、追加の開口Ｏ５からの像の位置に、射出瞳ＰＳ内に位置する開口Ｏ’を有する平面ミラーであってもよい。図１に示す本発明の特定の実施形態では、ビーム分割部品１９と結像システム６０との間にて補助屈折ミラー６１が使用される。瞳マスク１７の追加の開口Ｏ５、ビーム分割部品１９、および適用可能な場合には補助屈折ミラー６１を有する結像システム６０から構成される結像経路は、本発明に必須ではなく、本発明の原理にも関連しないことを思い出されたい。この結像経路が設けられる場合、例えば、追加の開口Ｏ５を通って望遠鏡１０に入射する放射ビームＦ５の通過領域にて偏光スクランブラ１５に穴を設けることによって、追加の開口Ｏ５における偏光スクランブラ１５の効果を排除することが有利であり得る。
【００４７】
スリットマスク４０が望遠鏡１０の出力焦点面ＰＦに配置されている。したがって、図３は、マスク４０の平面図である。これは、スリットの外側の放射を通さず、また、これは、装置１００のスペクトルバンドと同数のスリットを含む。参照番号４１〜４４で示されるスリットは、瞳分離プリズム３１〜３４による偏向後に瞳マスク１７の開口Ｏ１〜Ｏ４からそれぞれ到来する放射ビームの収束領域に配置される。したがって、スリット４１〜４４は、プリズム偏向方向ｘに沿って互いにオフセットされており、また、この方向において、実質的に長手方向に配向されている。したがって、ｘ方向に平行なスリット４１〜４４間のオフセットは、瞳分離プリズム３１〜３４の頂角によって決定される。全てのスリット４１〜４４は、好ましくは、同じ長さを有するが、方向ｘに沿った２つの連続したスリットは、連続したスリットを形成するように一緒になる可能性がある。
【００４８】
スリット４１〜４４は、分光光度計２０による像面湾曲に従うように、わずかに湾曲することが可能である。この場合、分光光度計２０の像面湾曲は、望遠鏡１０によって生成される同一の像面湾曲によってオフセットされてもよい。
【００４９】
別のフィールドマスク（図示せず）が、放射の伝播方向においてスリットマスク４０の上流、スリットマスク４０の前方数ミリメートルに配置されてもよい。この別のフィールドマスクは、スリット４１〜４４に対応する開口を有し、指向方向ＤＰの周りの装置１００の画角に追加の制限を提供する。
【００５０】
分光光度計２０は、当業者に知られているタイプのうちの１つであってもよいが、分光光度計の寸法を縮小するためには、近リトロー構成が特に有利である。例えば、図１に示すように、分光光度計２０は、スリット４１〜４４を出る放射ビームＦ１〜Ｆ４をコリメートするための３つのミラー２１、２２、および２３と、反射によって動作するブレーズド回折格子２４と、アレイ像検出器２６とを含むことができる。ブレーズド回折格子２４は、本明細書の一般的な部分で述べたスペクトル拡散部品を形成する。近リトロー構成では、スリット４１〜４４から出るビームＦ１〜Ｆ４は、スリット４１〜４４から回折格子２４に到達するために移動した光路に近いが、放射の伝播方向が逆である光路に沿って、回折格子２４によって一連のミラー２１〜２３に向かって反射される。そして、スリット４１〜４４は、分光光度計２０によって検出器２６の光電面上に結像される。格子２４は、スリット４１〜４４を出る放射ビームＦ１〜Ｆ４の回折を生成し、その結果、検出器２６上の各スリット４１〜４４からの像が、スペクトル広がり方向と呼ばれる共通の方向に平行に拡散する。分光光度計２０は、スペクトル広がり方向が、分光光度計２０によって検出器２６上に形成されるプリズム偏向方向ｘの像に垂直であるように、瞳分離プリズム３１〜３４に対して配向される。図４は、このようにして検出器２６の光電面上に現れる像の内容を示す。これは、各々が分光光度計２０を通り、スリット４１〜４４のうちの１つの画像から生じる４つの幾何学的バンドＢ１〜Ｂ４からなる。したがって、各幾何学的バンドは、対応するスリットからの画像に基づいており、スペクトル広がり方向に平行に延びている。幾何学的バンドＢ１〜Ｂ４は、瞳分離プリズム３１〜３４によって生成されるプリズム偏向に従って、スペクトル広がり方向に垂直に、互いに対してオフセットされる。スペクトル広がり方向は、この説明の一般的な部分では第１の検出方向と呼ばれ、図４ではＤ１で示されている。Ｄ２で示され、第２の検出方向と呼ばれる、Ｄ１に垂直な方向は、プリズム偏向方向ｘと光学的に共役である。
【００５１】
検出器２６の光電面上にそのように形成された幾何学的バンドＢ１〜Ｂ４の、分光光度測定のスペクトルバンドへの割り当ては、フィルタの第１のセットと呼ばれるフィルタのセット２７によって達成される。セット２７のフィルタは、検出器２６の光電面の直前に維持され、各フィルタは、対応する幾何学的バンド全体をカバーする。したがって、幾何学的バンドＢ１〜Ｂ４の１つにおいて検出器２６によって検出される放射は、この幾何学的バンドをカバーするこのセット２７のフィルタのスペクトルバンド幅に制限される。検出器２６の光電面の１つの画素から検出方向Ｄ１の次の画素への遷移は、これらの画素が下に位置するフィルタのスペクトルバンド内の波長の変化に対応する。従って、幾何学的バンドＢ１〜Ｂ４の１つの中の検出方向Ｄ１に平行な、検出器２６の同じ列の画素を読み取ることは、この幾何学的バンドに対応するスペクトルバンドにおける放射のスペクトル強度分布の評価を提供する。同時に、分光光度測定の１つのスペクトルバンドから別のスペクトルバンドへの遷移は、幾何学的バンドを変化させるための検出方向Ｄ２に沿った移動に対応する。検出器２６では、指向方向ＤＰの周りの装置１００の画角は、スリット４１〜４４の長さによって制限されるが、検出方向Ｄ２に沿った選択によって補足的に制限されてもよく、その画素は、幾何学的バンドＢ１〜Ｂ４の各々の中で実際に読み取られる。おそらく、検出方向Ｄ２に整列された、選択された画素から到来するが、幾何学的バンドＢ１〜Ｂ４の同じバンドに属する読み出し信号は、信号対雑音比を増加させるために一緒に加算されてもよい。好ましくは、空間情報を提供し、それによって大気中の隣接する列における測定を提供する、隣接する画素の複数のグループが定義され得る。したがって、各バンドにｐ個の画素があり、大気中のｑ個の列の測定が望まれる場合、それぞれｐ／ｑ個の隣接画素のｑ個のグループを定義すれば十分である（例えば、ｐ＝３００、ｑ＝３の、１００個の隣接する画素のグループのそれぞれは、大気中の３つの列の測定を提供する）。
【００５２】
あるいは、第１のセット２７のフィルタのスペクトル特性と同一のスペクトル特性を有する追加のフィルタのセットを、望遠鏡１０の入射瞳ＰＥおよびスリット４１〜４４に、またはこれらの２つの位置のうちの１つだけに配置してもよい。このような追加のフィルタは、入射瞳ＰＥに配置されると、瞳マスク１７の開口Ｏ１〜Ｏ４の各々に１対１で割り当てられる。例えば、それらは、瞳分離プリズム３１〜３４によって担持されてもよい。もちろん、開口Ｏ１〜Ｏ４の各々に割り当てられた追加のフィルタは、この開口を出て装置１００を通って検出器２６に進む放射ビームＦ１〜Ｆ４のうちの１つに応じて、第１のセット２７のフィルタと同一であるか、または互換性がなければならない。同じ状態は、スリット４１〜４４に、またはその近くに配置された追加のフィルタにも当てはまる。
【００５３】
図１はさらに、一方ではスリットマスク４０を、他方ではフィルタのセット２７を有する検出器２６を、ミラー２１に対して反対方向かつ横方向にシフトするために使用される、２つの任意の偏向ミラー２５ａおよび２５ｂを示す。したがって、回折格子２４に向かう放射ビームＦ１〜Ｆ４の経路に沿って、偏向ミラー２５ａはスリットマスク４０とミラー２１との間に配置され、回折格子２４から戻る放射ビームＦ１〜Ｆ４の経路に沿って、偏向ミラー２５ｂはミラー２１とフィルタのセット２７との間に配置される。このような構成は、特に分光光度計２０が、二次的な熱放射から保護するクライオスタットに含まれる場合に、妨害の問題を解決する。望遠鏡１０の三次ミラー１３を出る放射ビームＦ１〜Ｆ４が横切るクライオスタットの光学窓は、望遠鏡１０の射出瞳ＰＳと出力焦点面ＰＦとの間に配置することができる。このようなクライオスタット窓は、図１に参照番号３０で示されている。
【００５４】
望遠鏡１０の入射瞳ＰＥ内のサブ瞳のオフセットのために、検出器２６上に幾何学的バンドＢ１〜Ｂ４を形成する放射ビームＦ１〜Ｆ４は、回折格子２４において互いに横方向に距離を置いてもよい。この場合、ビーム間のこれらの距離は、回折格子２４が、問題のある空間を占めるほど大きな寸法を有することを必要とし、場合によっては、製造するには大きすぎることがある。この問題を解決するために、図５に示されている、瞳位置合わせプリズムと呼ばれる追加のプリズム５１〜５４を、スリット４１〜４４に対して、好ましくは分光光度計２０の側に、１対１で配置してもよい。すなわち、瞳位置合わせプリズム５１〜５４は、検出器２６の光電面上の幾何学的バンドＢ１〜Ｂ４の位置を変化させないが、回折格子２４で放射ビームＦ１〜Ｆ４を互いに重ね合わせること、または少なくともそれらを互いに接近させることを可能にする。これにより、回折格子２４を小型化することができる。適切な場合には、瞳位置合わせプリズム５１〜５４の各々は、瞳位置合わせプリズムが配置されるスリットに対応するスペクトル測定バンドと相関して、上述のような追加のフィルタを有してもよい。任意選択的に、各瞳位置合わせプリズムは、望遠鏡の射出サブ瞳に対応する、瞳マスク１７の開口Ｏ１〜Ｏ４から望遠鏡１０によって形成される像上により正確に分光光度計２０の入射瞳を重ね合わせるために、わずかに傾斜してもよい。
【００５５】
プリズム５１〜５４の面上での望ましくない反射から生じる迷光成分を抑制するために、プリズム５１〜５４の数ミリメートル内で、放射の伝播方向に対して瞳位置合わせプリズム５１〜５４の下流に開口２８を有するマスクを配置することもできる。
【００５６】
フィルタによって決定される装置１００の分光光度測定のスペクトルバンドは、近赤外線に位置してもよい。これらのスペクトルバンドは、例えば、バンドＢ１については［７５７．８ｎｍ；７６７．５ｎｍ］、バンドＢ２については［１５９３．８ｎｍ；１７１７．２ｎｍ］、バンドＢ３については［２０１８．８ｎｍ；２０４８．５ｎｍ］、バンドＢ４については［１７８２．４ｎｍ；１７０７．０ｎｍ］であってもよい。これらのスペクトルバンドは、特に、地球表面で生じる炭素化合物のガス流を特徴付けるための宇宙ミッションに適合される。
【００５７】
装置１００の光学部品には、再び例として、以下の数値を採用することもできる。
【００５８】
望遠鏡１０の焦点距離：約１２２ｍｍ
望遠鏡１０の入射瞳の寸法：約４０×２６ｍｍ２
スリット４１〜４４の各々の寸法：約０．０５ｍｍ×１．３０ｍｍ、検出方向Ｄ２に沿う幾何学的バンドＢ１〜Ｂ４の各々について約１００ピクセルの幅を生成する
回折格子２４の寸法：約８０ｍｍ×５４ｍｍ
回折格子２４の線密度：１ミリメートルあたり６０．３９本、以下の回折次数を生成：バンドＢ１について４０、バンドＢ２について１９、バンドＢ３について１５、およびバンドＢ４について１８
回折格子２４のブレーズ角：６７．３０°
回折格子２４への放射の入射角：７０．３０°
近リトロー構成の分光光度計２０の焦点距離：２４３ｎｍ
アレイ検出器２６のサイズ：１０００×１０００ピクセル
検出方向Ｄ１に沿う幾何学的バンドＢ１〜Ｂ４の各々の長さ：約１０００ピクセル
瞳分離プリズム３１〜３４の頂角：幾何学的バンドＢ１を生成するプリズム３１について２０．４１°、幾何学的バンドＢ２を生成するプリズム３２について６．８２°、幾何学的バンドＢ３を生成するプリズム３３について６．６６°、および幾何学的バンドＢ４を生成するプリズム３４について１８．６３°、検出方向Ｄ２に沿って、２つの隣接する幾何学的バンドＢ１〜Ｂ４の間に約１５０ピクセルの間隔を生成する。
【００５９】
これらの条件下で、装置１００は、７０ｋｇ以下の質量と、９００ｍｍ×６２０ｍｍ×４５０ｍｍ以下の寸法とを有してもよく、分光光度計を収容するが、望遠鏡１０の入射口Ｅの周りに配置されるバッフルを除くクライオスタットを含む。
【００６０】
最後に、図６は、人工衛星上での、今説明した装置１００の使用を示す。衛星Ｓは、地球Ｔを周回している。装置１００の使用中、人工衛星Ｓは、好ましくは、指向方向ＤＰが地球Ｔの中心ＣＴに向かうように方向付けられる。したがって、指向方向ＤＰは、図示のように、天底に向かうように方向付けられる。さらに、プリズム偏向方向Ｘが、ＴＳで示される地面に沿った人工衛星Ｓの経路に垂直であるように、衛星Ｓは、好ましくは、相応に配向された指向方向ＤＰの周りを回転する。換言すれば、望遠鏡１０によって出力焦点面ＰＦに形成される地球表面の像は、ｘ方向に垂直な方向に進む。このようにして、地球の大気中に含まれる炭素化合物を指向方向ＤＰに沿って特徴付けるために、４つのスペクトルバンドにおいて分光光度測定を同時に得ることができる。同時に得られる測定は、同時性がアレイ検出器２６の画素読み出し制約によってのみ制限される測定を意味すると理解される。
【００６１】
本発明は、上記で詳述した実施形態に関連してその二次的な態様を変更することによって再現することができることを理解されたい。特に、任意の数のスペクトル測定バンドを有する分光光度装置を得るように適合させることができる。最後に、与えられた数値は、単に非限定的な例として提供されたことを思い出すであろう。
【図１】
2019530876.tif 000003
【図２】
2019530876.tif 000004
【図３】
2019530876.tif 000005
【図４】
2019530876.tif 000006
【図５】
2019530876.tif 000007
【図６】
2019530876.tif 000008
【国際調査報告】
2019530876.tif 000009
2019530876.tif 000010
2019530876.tif 000011
2019530876.tif 000012